(57)【要約】【課題】閉扉時にはドアに対する制動力が働き、開扉時には開扉に対する抵抗力が小さくなるスライド式ドアの制動装置を提供する。【解決手段】フレーム（１６）と、揺動体（２０）と、回転シャフト（２４）及び該回転シャフトの周りに取り付けられた弾性ローラ（２６）を有する制動用回転ローラ（２８）とを有する。フレーム（１６）は、弾性ローラを揺動体の円弧状面（２２）上を転がることが可能に支持する細長い孔（３２）を有する。該細長い孔は、回転シャフト（２４）と係合するシャフト係合縁（３２−３）有し、揺動体（２０）がその軸線の周りの一方向に回動した場合、それとは反対方向に回動した場合に比べて、回転シャフトがシャフト係合縁によって半径方向で円弧状面側に変位されて、制動用回転ローラの円弧状面上での回動に対する抵抗が大きくなるようにされている。【選択図】      図１
2009062716.tif 000002
【特許請求の範囲】
【請求項１】
スライド式のドア及びドア枠の一方に固定されるべきフレームと、
所定の軸線の周りに揺動可能にして該フレームに支持された揺動体であって、該軸線を中心とする円弧状面を有する揺動体と、
該軸線に平行な回転シャフト、及び、該回転シャフトの周りに取り付けられた弾性ローラを有する制動用回転ローラと、
を有し、
該フレームが、該制動用回転ローラの該弾性ローラの周面を該揺動体の該円弧状面上を転がることが可能に支持する細長い孔であって、該回転シャフトと係合するシャフト係合縁と、該シャフト係合縁よりも該円弧状面に近い側にあって回転シャフトと係合しないシャフト非係合縁とを有する細長い孔を有し、
該揺動体が該軸線の周りの一方向に回動した場合、該揺動体が該軸線の周りの反対方向に回動した場合に比べて、該回転シャフトが該シャフト係合縁によって半径方向で該円弧状面側に変位されて、該制動用回転ローラの回動に対する抵抗が大きくなるようにされたスライド式ドアの制動装置。
【請求項２】
該細長い孔が、該軸線から該回転シャフトに向けて延びる線に対して斜めに横切るような直線状の細長い孔とされている請求項１に記載のスライド式ドアの制動装置。
【請求項３】
該制動用回転ローラが、該回転シャフトの周りに摺動可能に嵌合されたスリーブを有し、
該弾性ローラが、該スリーブの周りに嵌合固着され、
該揺動体が該軸線の周りの該一方向に回動して、該弾性ローラが該円弧状面上を転がるときに、該回転シャフトが該細長い孔の一方の端部に至り該端部に係合されて該細長い孔に沿った動きを停止されるようになり、その状態で該弾性ローラが該円弧状面上を転がるようにされている請求項１又は２に記載のスライド式ドアの制動装置。
【請求項４】
該円弧状面の周方向中心と該軸線とを結ぶ基準軸線が垂直になるように該揺動体を設定し、該円弧状面を該軸線の下方位置となるようにした場合において、該揺動体が、該軸線よりも上方位置で該基準軸線を中心に対称的に配置されて上方に延びる一対の係合アームを有する請求項１乃至３のいずれかに記載のスライド式ドアの制動装置。
【請求項５】
該細長い孔と該揺動体の該軸線との間の間隔を調整可能にした請求項１乃至４のいずれかに記載のスライド式ドアの制動装置。
【請求項６】
該フレームが、
メインフレームと、
該メインフレームに対して変位可能なサブフレームと
を有し、
該細長い孔が該サブフレームに形成されており、該サブフレームを該メインフレームに対して変位することにより、該細長い孔と該揺動体の該軸線との間の間隔を調整可能にした請求項１乃至５に記載のスライド式ドアの制動装置。
【請求項７】
メインフレームが、該回転シャフトの長さ方向で相互に間隔をあけられ対向する第１及び第２の外壁と、該第１及び第２の外壁の下縁間に連結された底部外壁を有し、
該サブフレームが、該メインフレームの内側で、該第１及び第２の外壁にそれぞれ隣接して設けられた第１及び第２の内壁と、該第１及び第２の内壁の下縁間に連結され、底部外壁に対向する底部内壁を有し、
該細長い孔が、該サブフレームの該第１及び第２の内壁に該回転シャフトの長さ方向で相互に整合して一対設けられ、該回転シャフトの両端部が該一対の細長い孔に係合するようになされ、
該メインフレームの該底部外壁に貫通孔が設けられ、
該サブフレームの該底部内壁に該貫通孔と整合されたねじ穴が設けられ、
該貫通孔を通して該ねじ穴にねじ係合された調整ねじが設けられ、該調整ねじを回すことにより、該サブフレームを該メインフレームに対して相対的に変位し、該細長い孔と該揺動体の該軸線との間の間隔を調整するようにした請求項６に記載のスライド式ドアの制動装置。
【請求項８】
該フレームが、ドア及びドア枠の一方に取り付けられるようになされ、
当該ドア制動装置が、ドア及びドア枠の他方に固定されるトリガー部材を有し、
該フレームが該トリガー部材に対して水平方向の一方の側にあり、該揺動体が、該円弧状面の周方向中心と該軸線とを結ぶ基準軸線を垂直の位置から傾斜されて該一対の係合アームの間の空間が、該トリガー部材のある側に向いた状態で、ドアの水平方向での動きに伴って、該フレームが該トリガー部材に対して、該一方の側から相対的に近づいた場合に、該一対の係合アームの一方を通り越して該空間に入り、該一対の係合アームの他方に係合して該揺動体を該軸線の周りで回動させ、それにより、該フレームが該トリガー部材の他方の側に来たときに、該空間が該トリガー部材のある側に向いた状態となり、その状態から該ドアが上記と反対方向に動いて、フレームが該トリガー部材に対して該他方の側からから近づいた場合に、該一対の係合アームの他方を通り越して該一対の係合アームの該一方に係合して該揺動体を該軸線の周りで上記とは反対方向に回動させるようにした請求項４に記載のスライド式ドアの制動装置。
【請求項９】
スライド式のドア及びドア枠の一方に固定されるべきフレームと、ドア及びドア枠の他方に固定されるトリガー部材と、
所定の軸線の周りに揺動可能にして該フレームに支持された揺動体であって、当接面を有する揺動体と、
該当接面に対して変更自在な押圧力で当接する当接部材と、
を有し、
該揺動体が、ドアを閉めるのに伴い、該トリガー部材に係合することにより、該軸線の周りの一方向に回動した場合、ドアを開けるのに伴い該トリガー部材と係合することにより反対方向に回動した場合に比べて、該当接部材が当接面に対して強く押圧されて、該揺動体の回動に対する抵抗が大きくなるようにされたスライド式ドアの制動装置。
【発明の詳細な説明】
【技術分野】
【０００１】
本発明は、スライド式ドアの制動装置に係り、特に、ドアが閉められるときでドアの竪枠に近づくときに制動をかけ、同ドアが開かれるときには、それに対する抵抗力が制動力より小さくなるようにしたスライド式ドアの制動装置に関する。
【背景技術】
【０００２】
このようなスライド式ドアの制動装置としては、オイルの粘性抵抗を利用したオイルダンパーが知られている（特許文献１参照）。
【０００３】
該オイルダンパーは、一般的に、オイルを充填したケーシング内に、ドアの動きとともに回転させられるロータリが設けられ、該ロータリが回転することによりオイルの流れを生じ、該流れに対する流路抵抗によって、該ロータリに対する抵抗を与え、ドアの動きに対する制動をかけるようになっている。
【特許文献１】特開平７−１２７６８０号
【発明の開示】
【発明が解決しようとする課題】
【０００４】
このようなオイルダンパーでは、閉扉の際の制動力が生じるとともに、開扉の際にも、それに対する抵抗力が生じ、ドアが開けにくくなるという欠点を有している。
【０００５】
本発明は、そのような欠点を解消したスライド式ドアの制動装置を提供することを目的としている。
【課題を解決するための手段】
【０００６】
すなわち、本発明は
スライド式のドア（以下に述べる実施形態においては参照符号Ｄで示す）及びドア枠（Ｆ）の一方に固定されるべきフレーム（１６）と、
所定の軸線の周り（以下に述べる実施形態においては支持シャフト１８の周り）に揺動可能にして該フレーム（１６）に支持された揺動体（２０）であって、該軸線を中心とする円弧状面（２２）を有する揺動体（２０）と、
該軸線に平行な回転シャフト（２４）、及び、該回転シャフトの周りに取り付けられた弾性材よりなる弾性ローラ（２６）を有する制動用回転ローラ（２８）と、
を有し、
該フレーム（１６）が、該制動用回転ローラ（２８）の該弾性ローラ（２６）の周面を該揺動体（２０）の該円弧状面（２２）上を転がることが可能に支持する細長い孔（３２）であって、該回転シャフト（２４）と係合するシャフト係合縁（３２−３）と、該回転シャフト係合縁よりも該円弧状面に近い側にあって回転シャフト（２４）と係合しないシャフト非係合縁（３２−４）とを有する細長い孔を有し、
該揺動体（２０）が該軸線の周りの一方向に回動した場合、該揺動体が該軸線の周りの反対方向に回動した場合に比べて、該回転シャフト（２４）が該シャフト係合縁（３２−３）によって半径方向で該円弧状面（２２）側に変位されて、該制動用回転ローラ（２８）の回動に対する抵抗が大きくなるようにされたスライド式ドアの制動装置を提供する。
【０００７】
この制動装置を、該スライド式ドアが閉扉されるときには、揺動体（２０）が上記一方の方向に回動し、開扉されるときには、揺動体が反対方向に回動するように設定することにより、閉扉のときにはドアに対して制動力が作用し、開扉のときは制動力が小さくなるようにすることができる。
【０００８】
具体的には、該細長い孔（３２）は、該軸線から該シャフト（２４）に向けて延びる線に対して斜めに横切るような直線状の細長い孔とすることができる。
また、
該制動用回転ローラ（２８）が、該シャフトの周りに摺動可能に嵌合されたスリーブ（３０）を有し、
弾性ローラ（２６）が、スリーブ（３０）の周りに嵌合固着され、
該揺動体（２０）が該軸線の周りの該一方向に回動して、該弾性ローラ（２６）が該円弧状面（３２−２）上を転がるときに、該回転シャフト（２４）が該細長い孔（３２）の一方の端部（３２−５）に至り該端部に係合されて該細長い孔に沿った動きを停止されるようになり、その状態で該弾性ローラが該円弧状面（２２）上を転がるようにすることができる。
【０００９】
すなわち、回転シャフト（２４）が第１孔部分の端部（３２−５）に係合した状態で弾性ローラ（２６）が回転し、該回転シャフト（２４）を回転しようとした場合、該回転シャフトは、端部（３２−５）の壁面からの摺動抵抗を受け、制動用回転ローラを回動するのにより大きな力が必要となる。この場合、弾性ローラ（２６）が固着されたスリーブ（３０）が回転シャフト（２４）の周りで回転することも生じ得るので、その場合には、該スリーブと回転シャフトとの間にも摺動抵抗が生じる。
【００１０】
更に具体的には、
該円弧状面（２２）の周方向中心と該揺動体（２０）の軸線とを結ぶ基準軸線（Ｒ）が垂直になるように該揺動体を設定し、該円弧状面（２２）を該軸線の下方位置となるようにした場合において、該揺動体が、該軸線よりも上方位置で該基準軸線を中心に対称的に配置されて上方に延びる一対の係合アーム（２０−２）を有するようにすることができる。
【００１１】
このようにすることにより、基準軸線（Ｒ）が垂直位置から傾いた状態に該揺動体を設定すれば、対をなす該アームの一方が他方よりも高い位置まで延びた状態とすることができ、ドアが動かされた際に、この高い方の係合アームに係合することにより該揺動体を回動することができる。従って、閉扉及び開扉のときの揺動体の傾斜を、該揺動体の軸線を通る垂直線を中心に相互に逆向きに設定することにより、該アームを介して該揺動体を時計方向若しくは反時計方向に回動することができるようになり、閉扉時の制動を行なうことが可能となる。
【００１２】
更に、
細長い孔（３２）と該揺動体（２２）の該軸線との間の間隔を調整可能にすることができる。細長い孔を揺動体の軸線に近づければ、該揺動体の円弧状面から離れ、軸線から離すようにすれば、該円弧状面に近づくことになり、従って、制動用ローラが該円弧状面上を回動するときの抵抗力（従って、ドアに対する制動力）を調整することができる。
【００１３】
具体的には、
該フレーム（１６）が、
メインフレーム（３１）と、
該メインフレームに対して変位可能なサブフレーム（２９）と
を有し、
該細長い孔（３２）が該サブフレーム（２９）に形成されており、該サブフレームを該メインフレームに対して変位することにより、該細長い孔（３２）と該揺動体（２０）の該軸線との間の間隔を調整可能とするようにすることができる。
【００１４】
更に具体的には、
メインフレーム（３１）が、該回転シャフトの長さ方向で相互に間隔をあけられ対向する第１及び第２の外壁（３１−１、３１−２）と、該第１及び第２の外壁の下縁間に連結された底部外壁（３１−５）を有し、
該サブフレーム（２９）が、該メインフレーム（３１）の内側で、該第１及び第２の外壁（３１−１、３１−２）にそれぞれ隣接して設けられた第１及び第２の内壁（２９−１、２９−２）と、該第１及び第２の内壁の下縁間に連結され、底部外壁（３１−５）に対向する底部内壁（２９−３）を有し、
該細長い孔（３２）が、該サブフレーム（２９）の該第１及び第２の内壁（２９−１、２９−２）に該回転シャフトの長さ方向で相互に整合して一対設けられ、該回転シャフトの両端部が該一対の細長い孔に係合するようになされ、
該メインフレームの該底部外壁に貫通孔（３１−６）が設けられ、
該サブフレームの該底部内壁に該貫通孔と整合されたねじ穴（２９−６）が設けられ、
該貫通孔（３１−６）を通して該ねじ穴（２９−６）にねじ係合された調整ねじ（３３）が設けられ、該調整ねじを回すことにより、該サブフレームを該メインフレームに対して相対的に変位し、該細長い孔（３２）と該揺動体（２０）の該軸線との間の間隔を調整するようにすることができる。
【００１５】
更に具体的には、
フレーム（１６）が、ドア（Ｄ）及びドア枠（Ｆ）の一方に取り付けられるようになされ、
当該ドア制動装置が、ドア及びドア枠の他方に固定されるトリガー部材（１４）を有し、
該フレーム（１６）が該トリガー部材（１４）に対して水平方向の一方の側にあり、該揺動体（２０）が、該円弧状面の周方向中心と該軸線とを結ぶ基準軸線（Ｒ）を垂直の位置から斜めに傾斜されて該一対の係合アーム（２０−２）の間の空間が、該トリガー部材（１４）のある側に向いた状態で、ドアの水平方向での動きに伴って、該フレーム（１６）が該トリガー部材（１４）に対して、その一方の側から相対的に近づいた場合に、該一対の係合アーム（２０−２）の一方を通り越して該空間に入り、該一対の係合アーム（２０−２）の他方に係合して該揺動体（２０）を該軸線の周りで回動させ、それにより、該フレーム（１６）が該トリガー部材（１４）の他方の側に来たときに、該空間が該トリガー部材（１４）のある側に向いた状態となり、その状態から該ドア（Ｄ）が上記と反対方向に動いて、フレーム（１６）が該トリガー部材（１４）に対してその他方の側からから近づいた場合に、該一対の係合アーム（２０−２）の該他方を通り越して該一対の係合アームの該一方に係合して該揺動体（２０）を該軸線の周りで上記とは反対の方向に回動させるようにすることができる。
【００１６】
本発明はまた、
スライド式のドア及びドア枠の一方に固定されるべきフレーム（１６）と、ドア及びドア枠の他方に固定されるトリガー部材（１４）と、
所定の軸線の周りに揺動可能にして該フレームに支持された揺動体（２０）であって、当接面（円弧状面（２２）に相当）を有する揺動体（２０）と、
該当接面に対して変更自在な押圧力で当接する当接部材（制動用回転ローラ（２８））と、
を有し、
該揺動体（２０）が、ドアを閉めるのに伴い、該トリガー部材（１４）に係合することにより該軸線の周りの一方向に回動した場合、ドアを開けるのに伴い該トリガー部材と係合することにより反対方向に回動した場合に比べて、該当接部材（２８）が当接面（２２）に対して強く押圧されて、該揺動体（２０）の回動に対する抵抗が大きくなるようにされたスライド式ドアの制動装置を提供する。
【００１７】
すなわち、本発明では、ドアの開閉に伴い、トリガー部材による揺動体の回動を生じさせ、その回動方向によって、当接部材が揺動体の当接面に対する押圧力が変わるようにし、それにより、閉扉時には制動力がかかるようにするとともに、開扉時には、そのような制動力が実質的にかからないようにしようとするものである。
【発明を実施するための最良の形態】
【００１８】
以下、添付図面に基づき本発明の実施形態を説明する。
図１は、図２に示す本発明に係るスライド式ドア制動装置（以下、制動装置とする）１０のＩ−Ｉ線に沿って見た図であり、図２は図１のII−II線に沿って見た図である。
【００１９】
図示のように、制動装置１０は、ドアＤに固定される制動装置本体１２と、ドア枠Ｆに固定され、該制動装置本体１２の制動作用を生じさせる、硬質のゴムなどからなるトリガー部材１４とを有する。
【００２０】
該制動装置本体１２は、ドアＤに固定される箱型のフレーム１６と、該フレームに支持された支持シャフト１８の周りに揺動可能に支持された揺動体２０であって、該支持シャフトを中心とする円弧状面２２を有する揺動体２０と、該支持シャフトに平行とされ、該フレームに支持された回転シャフト２４、及び、該回転シャフト２４の周りに固定され、円弧状面２２に回転係合する弾性材よりなる弾性ローラ２６を有する制動用回転ローラ２８とを有する。
【００２１】
図示の実施形態では、フレーム１６は、ドアＤに固定される第１の外壁３１−１、該第１の外壁３１−１に対向する第２の外壁３１−２、該第１及び第２の外壁の側部縁間に連結された第３及び第４の外壁３１−３、３１−４、及び、下縁間に連結された底部外壁３１−５を備える箱状のメインフレーム３１と、該メインフレーム３１の内側で、第１及び第２の外壁３１−１及び３１−２にそれぞれ隣接した第１及び第２の内壁２９−１、２９−２及び該内壁２９−１、２９−２の下縁間に連結された底部内壁２９−３からなるＵ字状のサブフレーム２９を有する。
【００２２】
サブフレーム２９の第１及び第２の内壁２９−１、２９−２は、メインフレーム３１の第１及び第２の外壁３１−１、３１−２に取り付けられた支持シャフト１８を通すため、該支持シャフト１８の軸線方向で整合された孔２９−４、２９−５を有しており、該孔は図１及び図２で見て、上下方向でわずかに長くされており、該サブフレーム２９がメインフレーム３１に対して上下方向で変位可能となっている。
【００２３】
サブフレーム２９の底部内壁２９−３には、その中央部分に上下方向で貫通するねじ穴２９−６が設けられ、メインフレーム３１の底部外壁の上下方向で対応する部分には貫通孔３１−６が設けられ、調整ねじ３３が、該貫通孔３１−６を通りねじ穴２９−６にねじ係合されている。すなわち、該調整ねじ３３を回すことにより、サブフレーム２９がメインフレーム３１に対して上下方向で変位するようになっている。
【００２４】
回転シャフト２４は、その周りに嵌合された金属製のスリーブ３０を有しており、弾性ローラ２６は該スリーブ３０の周りに固着されている。回転シャフト２４の両端は、スリーブ３０の両端から突出しており、サブフレーム２９によって支持されている。具体的には、該サブフレーム２９は、第１及び第２の内壁２９−１、２９−２に形成された細長い孔３２を有しており、回転シャフト２４は、その両端が該細長い孔３２内に挿入されて支持されている。図示のように、細長い孔３２は、支持シャフト１８の中心軸線と揺動体２０の円弧状面２２の周方向中心とを結んだ（図１では上下方向に）延びる基準軸線Ｒの一方の側に延びる第１孔部分３２−１と、基準軸線Ｒの他方の側に延びる第２孔部分３２−２とを有し、全体としては、基準軸線Ｒに対して所定の角度で交差する細長い孔とされている。該細長い孔３２の上側の縁３２−３は回転シャフト２４と係合するようになされ、下側の縁３２−４は回転シャフト２４と係合しないようになされている。
【００２５】
揺動体２０は、図１に示すように、円弧状面２２を有する全体として半円弧状部分２０−１と、該半円弧状部分２０−１から上方に延びる一対の係合アーム２０−２を有している。
【００２６】
図３は、上述の制動装置の閉扉のときの作動状態を示すものであり、制動装置本体１２は、そのメインフレーム３１を省略して示している。
【００２７】
すなわち、ドアＤが開かれている状態においては、制動装置本体１２の揺動体２０は、一対の係合アーム２０−２の間に形成される空間Ｓが、ドア枠Ｆに固定したトリガー部材１４側に向うように傾斜されている（図３（ａ））。
【００２８】
ドアＤが閉じられて竪枠Ｆ´に近づくと、トリガー部材１４は、該一対の係合アーム２０−２の（該トリガー部材に近い）一方を通り越して一対の係合アーム２０−２の他方に係合するようになる（図３（ｂ））。
【００２９】
ドアＤが、更に竪枠Ｆ´に近づくと揺動体２０は、支持シャフト１８の周りで反時計方向に回動されながらトリガー部材１４の下を通る（図３（ｃ）〜図３（ｅ））。
ドアＤが完全に閉められた状態では、一対の係合アーム２０−２の間の空間Ｓが該トリガー部材１４の側に面するようにされる（図３（ｆ））。
【００３０】
揺動体２０が、このように動くことにより、制動装置１０においては、次のようにして制動作用が行なわれる。
【００３１】
揺動体２０が図３で見て反時計方向に回動されることにより、弾性ローラ２６が該揺動体２０の円弧状面２２上で転がり、これに伴い、当該制動用回転ローラ２８が反時計方向に回転する。制動用回転ローラの回転シャフト２４は細長い孔３２のシャフト係合縁としての上縁３２−３に係合しているため、該回転シャフト２４は、該上縁３２−３上を図３で見て右方に転がる。上縁３２−３は前述の如く傾斜しているので、回転シャフト２４が該上縁３２−３に沿って右方に転がれば、該回転シャフト２４と円弧状面２２との間の間隔が次第に狭くなり、従って、弾性ローラ２６は、揺動体２０の円弧状面２２に対して次第に強く押し付けられるようになる。従って、該円弧状面２２上で転がる弾性ローラ２６の受ける弾性変形は大きくなり、消費される変形エネルギーが大きくなるために、該弾性ローラ、従って、該制動用回転ローラを回転するに必要な力は大きくなり、揺動体２０は回動しにくくなる。これにより、ドアＤには大きな制動力が作用することになる。
【００３２】
この場合の制動力を調節する場合は、調整ねじ３３を回して、サブフレーム２９をメインフレーム３１に対して上下方向で位置調節を行い、円弧状面２２に対する細長い孔３２の位置を調整する。
【００３３】
上記とは逆に、図４に示すように、開扉を行う場合には、ドアの動きに伴って揺動体２０は時計方向に回動され、制動用回転ローラ２８は、細長い孔３２内を図３で見て左方に動く。このため回転シャフト２４と円弧状面２２との間の間隔が次第に広くなり、ドアＤに対する制動力は小さくなる。
【００３４】
図４（ａ）に示されるように、閉扉されて図３（ｆ）の状態とされた制動用回転ローラ２８は、閉扉後ある程度時間が経過することにより、変形されていた弾性ローラ２６の復元力の作用により、細長い孔３２に対し、図３（ａ）と同じ状態に戻される。しかし、このような状態に戻らないときに開扉が行なわれても、制動用回転ローラ２８は、開扉とともに直ぐに細長い孔３２の左方に変位されるので、開扉に抵抗する力は小さくなる。
【００３５】
図示の制動装置においては、更に、閉扉時に上述の如き制動作用のほか、次のような制動作用も働く。
【００３６】
揺動体２０がトリガー部材１４と係合することにより、反時計方向に回動し、それにより、弾性ローラ２６が揺動体２０の円弧状面２２上を右方に転がる。これに伴い、回転シャフト２４が細長い孔３２の上縁３２−３上を同様に右方へ転がる。揺動体２０の回動に伴って、弾性ローラ２６が転がる円弧状面２２の長さに比べて、回転シャフト２４が細長い孔３２の上縁３２−３上を転がることができる長さ、すなわち、回転シャフト２４が細長い孔３２の右端部３２−５に至るまでの長さは短くされている。すなわち、弾性ローラ２６が揺動体２０の円弧状面２２上を転がり続ける間に回転シャフト２４が細長い孔３２の右端部３２−５に達し、該回転シャフト２４は、該右端部３２−５によって細長い孔３２に沿った動きは停止され、この状態で、回転を続ける弾性ローラ２６からの回転力を受けるようになっている。従って、回転シャフト２４は、その周面と、細長い孔３２の右端部３２−５の壁面との間に摺動抵抗が生じ、従って、当該制動用回転ローラ２８を回転するにはより大きな力を要するようになる。このため、ドアに対する制動力は大きくなる。
【００３７】
また、図示の実施形態では、前述の如く回転シャフト２４の周りにスリーブ３０が嵌合されており、該スリーブ３０に弾性ローラ２６が取り付けられている。このため、回転シャフト２４が上記細長い孔３２の右端部３２−５に係合した状態では、スリーブ３０と回転シャフト２４との間にも相対的回動が生じ、それらの間に摺動抵抗が生じることがあり、この場合の摺動抵抗も大きいので、当該制動用回転ローラ２８を回転するには大きな力が必要となる。従って、この場合も閉扉時におけるドアへの制動力を与えることになる。
【００３８】
以上、本発明に係るスライド式ドアの制動装置の実施形態につき説明したが、本発明はこれに限定されるものではない。例えば、制動装置本体をドア枠に取り付け、トリガー部材をドアに取り付けるようにすることも可能である。
【図面の簡単な説明】
【００３９】
【図１】本発明に係るスライド式ドアの制動装置を示す図で、図２のＩ−Ｉ線に沿って見た図である。
【図２】図１のII−II線に沿って見た図である。
【図３】閉扉時における同制動装置の動きを示す図である。
【図４】開扉時における同制動装置の動きを示す図である。
【符号の説明】
【００４０】
制動装置１０；制動装置本体１２；トリガー部材１４；フレーム１６；支持シャフト１８；揺動体２０；半円形状部分２０−１；一対の係合アーム２０−２；円弧状面２２；回転シャフト２４；弾性ローラ２６；制動用回転ローラ２８；サブフレーム２９；第１の内壁２９−１；第２の内壁２９−２；底部内壁２９−３；孔２９−４；孔２９−５；ねじ穴２９−６；スリーブ３０；メインフレーム３１；第１の外壁３１−１；第２の外壁３１−２；第３の外壁３１−３；第４の外壁３１−４；底部外壁３１−５；貫通孔３１−６；細長い孔３２；第１孔部分３２−１；第２孔部分３２−２；上縁（シャフト係合縁）３２−３；下縁（シャフト非係合縁）３２−４；ドアＤ；ドア枠Ｆ；竪枠Ｆ´；基準軸線Ｒ
【図１】
2009062716.tif 000003
【図２】
2009062716.tif 000004
【図３】
2009062716.tif 000005
【図４】
2009062716.tif 000006